(57)【要約】【課題】レバーを切り替えられたタイミングによって既に給紙した記録紙を排出して良い場合と、又、排紙せずに手で記録紙を取った方が良い場合等、レバーを検出して停止した時の記録紙の状態が違うにも拘らず、ユーザーに対するエラーの解除方法が明確になっていなかった。【解決手段】紙端検出センサーが記録紙の先端部を検出してからの記録紙搬送量情報を管理する手段を備えた記録装置で、記録装置が印刷命令を受け記録紙を給紙させてから印字が終了し、記録紙が排紙されるまでの搬送間で前記切り替えレバーの情報と前記の記録紙搬送量情報からエラーの判定をする。【選択図】図１
2006051766.tif 000002
【特許請求の範囲】
【請求項１】
記録紙を給紙する給紙口を選択する切り替えレバーを備え、切り替えレバーにより前記給紙口を切り替える手段を持ち、指定した印字位置まで記録紙を搬送するために記録紙の先端部、後端部を検出する紙端検出センサーを備え、且つ、前記紙端検出センサーが記録紙の先端部を検出してからの記録紙搬送量情報を管理する手段を備えた記録装置で、記録装置が印刷命令を受け記録紙を給紙させてから印字が終了し記録紙が排紙されるまでの搬送間で前記切り替えレバーの情報と前記の記録紙搬送量情報からエラーの判定をすることを特徴とする印刷装置。
【発明の詳細な説明】
【技術分野】
【０００１】
本発明は、使用者によって給紙口の切り替えができるメカ機構を備えた印刷装置に関する。
【背景技術】
【０００２】
これまでのプリンタは給紙口の切り替えをユーザーに印刷前に明示的に行わせるために、電気的検出が可能なスイッチ等を設けて給紙口の選択を印刷が開始されたらその後切り替えスイッチを押下してもその印字に関しては無視して制御に反映させないようなソフト的判断を行う等をしていた。
【０００３】
しかし、廉価版等では電気的な検出が可能なスイッチ等はコストアップになるためにメカ的なレバー等を使って給紙口を強制的に切り替える機構にして、印刷途中で切り替えレバーを切り替えられるとこれまでの給紙口からの紙パスが閉じられるために紙の搬送力が低下し、印字が正常に行われないことがあるので、同梱するマニュアル等に印刷前に給紙口の設定を切り替えレバーで行ってから印刷を開始し、且つ、「印字動作中は切り替えレバーを触らないで下さい」等の注意書きを記載し対応していた。
【０００４】
従来技術として、複数の給紙口を有し、搬送ローラの圧接力をレバーで切り替えるもので、レバーの位置を検出して、給紙される用紙の種類の判断に用いているものがある（例えば、特許文献１）。
【０００５】
又、複数の給紙口をレバーで切り替えるもので、レバーの位置が給紙される紙の種類に合っていなければ、ジャム等の不具合が発生することを課題としたものもある（例えば、特許文献２）。
【０００６】
【特許文献１】特開平９−８６００５号公報
【特許文献２】特開平８−９５３３２号公報
【発明の開示】
【発明が解決しようとする課題】
【０００７】
しかし、マニュアル等で注意を促したところでメカ的にいつでも給紙口の切り替えが行えてしまう機構であることから、仮に印刷開始後に切り替えレバーを切り替えられたとしても印刷を中止し、エラー情報等をホストに通知してユーザーに印刷が正しく行えなかったことをアナウンスする等の方法を採っている。
【０００８】
しかし、レバーを切り替えられたタイミングによって既に給紙した記録紙を排出して良い場合と、又、排紙せずに手で記録紙を取った方が良い場合等、レバーを検出して停止した時の記録紙の状態が違うにも拘らず、ユーザーに対するエラーの解除方法が明確になっていなかった。
【０００９】
本発明は、ユーザーによって切り替えられる給紙口が複数あるプリンタでエラーを明確に通知することを目的とする。
【００１０】
又、本発明は、以上のような状況を鑑みてなされたものであり、給紙口の選択を誤って印刷開始後に行われた場合にも明確に解除方法をユーザーに通知させることを目的としている。
【課題を解決するための手段】
【００１１】
上記目的を達成するため、本発明は、記録紙を給紙する給紙口を選択する切り替えレバーを備え、切り替えレバーにより前記給紙口を切り替える手段を持ち、指定した印字位置まで記録紙を搬送するために記録紙の先端部、後端部を検出する紙端検出センサーを備え、且つ、前記紙端検出センサーが記録紙の先端部を検出してからの記録紙搬送量情報を管理する手段を備えた記録装置で、記録装置が印刷命令を受け記録紙を給紙させてから印字が終了し記録紙が排紙されるまでの搬送間で前記切り替えレバーの情報と前記の記録紙搬送量情報からエラーの判定をすることを特徴とする。
【発明の効果】
【００１２】
本発明によれば、これまで印字中に切り替えレバーによって切り替えられた場合にユーザーに対してのエラーの解除方法が明確になっていなかったのがエラーの条件、リカバリー方法を分割、詳細にすることで明確な解除方法を提供させることが可能となった。
【発明を実施するための最良の形態】
【００１３】
以下、本発明の実施形態について図面を参照しながら説明する。
【００１４】
図１は本発明の実施の形態における最低限必要な構成を表した図である。
【００１５】
１−１と１−２はそれぞれ独立して記録紙をセットできる給紙口であり、１−３の給紙口切り替えレバーによって印字する記録紙を切り替えることが可能となっている。簡単な動作を説明すると、印刷が開始されると、１−３の給紙口切り替えレバーで設定された口にセットされている記録紙を１−８の給紙ローラでピックアップする。ピックアップされた記録紙は１−４の記録紙先後端検出センサーにより先端が検出され、１−５の第１搬送ローラ、１−７の第２搬送ローラーによって紙が搬送される。その間、１−６の印字ヘッドが記録紙搬送方向と垂直方向に移動しながら印字を行う構成となっている。
【００１６】
図２は図１を違う角度から見た図である。
【００１７】
同じく動作を説明すると、２−１の紙先後端検出センサー、２−２の第１搬送ローラ、２−４の第２搬送ローラの順番に記録紙が搬送される。又、２−５の印字ヘッドを記録紙の搬送方向と垂直に移動するための軸を備え、第１、第２搬送ローラで記録紙を指定した印字データに基づいて搬送し、２−３の軸上を２−５の印字ヘッドを移動させつつ印字を行う構成となっている。
【００１８】
図３は本発明の実施の形態をフローチャートに表した図である。
【００１９】
本実施の形態では、周期的に割り込みが入り切り、割り込み処理の中で切り替えレバーの状態と記録紙先後端検出センサーの出力結果を検出でき、且つ、記録紙の搬送量をソフト的に管理ができる構成を採っている。
【００２０】
先ず、プリンタは印字が開始されるまで待つ（３−１の‘Ｎ’を選択）。印字が開始されると（３−１の‘Ｙ’を選択）印字データに基づき指定した位置まで給紙ローラによって記録紙を搬送し、印字ヘッドを移動させ印刷を行う（３−２、以下「印刷を行う」と記す）。印刷を行う間、切り替えレバーの検出があった場合、且つ、記録紙の先端が記録紙先後端センサー（以後「センサー」と記す）に達していない場合（３−３で‘Ｙ’を選択）使用者にエラーＡの処理を行う。又、印刷を行う間、切り替えレバーの検出があった場合、記録紙の先端がセンサーに達した後、管理している搬送量から未だ第１の搬送ローラに達していない場合（３−９で‘Ｙ’を選択）、使用者にエラーＢの処理をする。
【００２１】
又、印刷を行う間、切り替えレバーの検出があった場合、記録紙の先端が第１搬送ローラに達した後、且つ、第２搬送ローラに達していない場合、使用者にエラーＣの処理をする。又、印刷を行う間、切り替えレバーの検出があった場合、記録紙の先端が第２搬送ローラに達し、且つ、記録紙の後端がセンサーによって後端を検出していない場合、使用者にエラーＤの処理をする。又、印刷を行う間、切り替えレバーの検出があった場合、且つ、記録紙の後端がセンサーで検出した後の場合はエラーを通知せず印字を続行させる。
【００２２】
又、図３のフローチャートの中で挙げたエラーの処理を以下に説明する。
【００２３】
先ず、第１にエラーＡの説明をすると、記録紙が指定された給紙口から記録紙をピックアップして記録紙の先端がセンサーを抜ける前に切り替えられた場合であり、殆ど記録紙が給紙されていない状態なので、一端記録紙を手で取り除き、再度セットしてもらい印刷を続行してもらう内容のメッセージを通知する。
【００２４】
又、第２にエラーＢの説明をすると、記録紙が給紙ローラによって少し搬送されているので処理を中断し、記録紙を排出する。更に、使用者に対して切り替えレバーを戻し、再度排出した記録紙をセットし印刷を続行するメッセージを通知する。
【００２５】
又、第３にエラーＣの説明をすると、記録紙が給紙ローラの搬送力を失い第１搬送ローラだけで搬送しているために搬送力が足りないので処理を中断し、使用者に対して切り替えレバーを戻してもらう旨のメッセージを通知する。
【００２６】
又、第４にエラーＤの説明をすると、記録紙が第１搬送ローラと第２搬送ローラの両者によって搬送しているので、搬送力が足りないことがないため処理は停止せず、使用者に対して切り替えレバーを戻してもらう旨のメッセージのみ通知する。
【図面の簡単な説明】
【００２７】
【図１】本発明の最低限必要なプリンタメカ構成を横から表した図である。
【図２】本発明の最低限必要なプリンタメカ構成を上から表した図である。
【図３】本発明の実施の形態をフローチャートにした図である。
【符号の説明】
【００２８】
１−１  給紙口
１−２  給紙口
１−３  給紙口切り替えレバー
【図１】
2006051766.tif 000003
【図２】
2006051766.tif 000004
【図３】
2006051766.tif 000005